(57)【要約】      （修正有）【課題】装着が容易で安定した状態で被介護者等を吊り上げ可能な介護用吊り具を提供する。【解決手段】介護用吊り具１は上体固定部２と脚部固定部３と連結部４を有し、上体固定部２は被介護者等の上半身を支持する上体支持部５と、上体支持部５に連結する上体支持フレーム部６と、被介護者等の上半身を覆う上体囲い部８と、ワイヤーを掛ける突起部１８と、被介護者等の脇の下を支持するストッパー部２２を有する。脚部固定部３は被介護者等の下半身を支持する脚部支持部２９と、脚部支持部２９に連結する脚部支持フレーム部３０と、被介護者等の大腿部を収容する脚部保持部３１と、ワイヤーを掛ける突起部３２を有する。連結部４により左右の上体支持フレーム部６と脚部支持フレーム部３０を連結し、ワイヤーで介護用吊り具１を吊り上げることにより、それらのフレーム部６，３０が一定の角度を形成する。【選択図】図１
2019115390.tif 000002
【特許請求の範囲】
【請求項１】
上体固定部と脚部固定部と連結部を有する介護用吊り具であって、前記上体固定部は被介護者等の上半身を支持する上体支持部と、該上体支持部を支持する上体支持フレーム部と、吊り紐を掛けるための突起部と、被介護者等の左右の脇を支持するストッパー部を有し、前記脚部固定部は脚部支持部と、該脚部支持部上に設置され被介護者等の大腿部を収容する二つの脚部保持部と、前記脚部支持部を支持する脚部支持フレーム部と、吊り紐を掛けるための突起部を有し、前記連結部によって前記上体支持フレーム部と前記脚部支持フレーム部を連結し、前記上体固定部及び前記脚部固定部の前記突起部に吊り紐を掛けて前記介護用吊り具を吊り上げた際に、前記上体支持フレーム部と前記脚部支持フレーム部が一定の角度を形成することを特徴とする介護用吊り具。
【請求項２】
前記上体固定部が、被介護者等の上半身の前面を覆う上体囲い部を有することを特徴とする請求項１記載の介護用吊り具。
【請求項３】
前記上体囲い部の設置位置を、前記上体固定部の前後方向に調節可能であることを特徴とする請求項２記載の介護用吊り具。
【請求項４】
前記ストッパー部の設置位置を、前記上体固定部の前後方向及び左右方向に調節可能であることを特徴とする請求項１ないし請求項３のいずれかに記載の介護用吊り具。
【請求項５】
前記介護用吊り具の全長を調節可能であることを特徴とする請求項１ないし請求項４のいずれかに記載の介護用吊り具。
【請求項６】
前記脚部保持部が、その両端部付近に開閉可能な補助部を有することを特徴とする請求項１ないし請求項５のいずれかに記載の介護用吊り具。
【請求項７】
二つの前記脚部保持部が、前記脚部支持部の後方へ向けてハの字状に開いた状態で前記脚部支持部にそれぞれ固定されていることを特徴とする請求項１ないし請求項６のいずれかに記載の介護用吊り具。
【発明の詳細な説明】
【技術分野】
【０００１】
本発明は、寝たきりの被介護者や老人を容易に吊り上げることが可能な介護用吊り具に関する。
【背景技術】
【０００２】
従来より、寝たきりの被介護者や高齢者（以下「被介護者等」という。）については、寝ているベッドからお風呂やトイレまでの自力での移動が困難であることから、リフトやクレーン等を利用して被介護者等を吊り上げながらお風呂等へ移動させている。その際、寝ている姿勢または座っている姿勢の被介護者等に、特殊用具を装着することにより吊り上げている。
【０００３】
そして、被介護者等を吊り上げるための特殊用具として、Ｌ字型のフレームに設けられたバンドで、胸部と腰部と脚部をフレームに固定するように縛り、フレームにフックをかけて持ち上げる介護用特殊吊り具や、被介護者等の腹部を覆う腹部ベルトを有する背中部フレームと脚部を覆う脚部ベルトを有する脚部フレームを備え、背中部フレームと脚部フレームを直角位置で固定する固定手段を備え、背中部フレームと脚部フレームにフックを取り付けて吊り上げる介護用吊り装置等が開示されている。
【先行技術文献】
【特許文献】
【０００４】
【特許文献１】特開２０１０−７５５３６号公報
【特許文献２】特開２０００−１５７５８０号公報
【０００５】
しかし、上記介護用特殊吊り具は、装着して吊り上げられた被介護者等はその態勢が窮屈であるため不快感を感じるとともに、吊り上げられた被介護者等の状態が不安定であるという問題がある。一方、上記介護用吊り装置は、ベルトで固定された被介護者等の胴体と大腿部の角度が直角となっており、腹部ベルトのみで上半身を支える状態となるため、腹部ベルトが支えきれずに上半身が下方にずり落ちて被介護者等にとって苦しい態勢になるおそれがある。更に、最悪の場合には、腹部ベルトから被介護者等の上半身が抜け落ちて落下する危険性もある。
【０００６】
そこで本発明は、上記のような従来の問題点を解消するものであり、被介護者等がリラックスした状態を保ったまま、被介護者等をベッドから安定した状態で安全に吊り上げることができるとともに被介護者等の落下を確実に防止することができ、装着が容易である介護用吊り具を提供するものである。
【発明の概要】
【課題を解決するための手段】
【０００７】
上記の目的を達成するため、本願の請求項１に係る発明は、上体固定部と脚部固定部と連結部を有する介護用吊り具であって、前記上体固定部は被介護者等の上半身を支持する上体支持部と、該上体支持部を支持する上体支持フレーム部と、吊り紐を掛けるための突起部と、被介護者等の左右の脇を支持するストッパー部を有し、前記脚部固定部は脚部支持部と、該脚部支持部上に設置され被介護者等の大腿部を収容する二つの脚部保持部と、前記脚部支持部を支持する脚部支持フレーム部と、吊り紐を掛けるための突起部を有し、前記連結部によって前記上体支持フレーム部と前記脚部支持フレーム部を連結し、前記上体固定部及び前記脚部固定部の前記突起部に吊り紐を掛けて前記介護用吊り具を吊り上げた際に、前記上体支持フレーム部と前記脚部支持フレーム部が一定の角度を形成することを特徴とする。
【０００８】
また、本願の請求項２に係る発明は、前記上体固定部が、被介護者等の上半身の前面を覆う上体囲い部を有することを特徴とする。
【０００９】
また、本願の請求項３に係る発明は、前記上体囲い部の設置位置を、前記上体固定部の前後方向に調節可能であることを特徴とする。
【００１０】
また、本願の請求項４に係る発明は、前記ストッパー部の設置位置を、前記上体固定部の前後方向及び左右方向に調節可能であることを特徴とする。
【００１１】
また、本願の請求項５に係る発明は、前記介護用吊り具の全長を調節可能であることを特徴とする。
【００１２】
また、本願の請求項６に係る発明は、前記脚部保持部が、その両端部付近に開閉可能な補助部を有することを特徴とする。
【００１３】
また、本願の請求項７に係る発明は、二つの前記脚部保持部が、前記脚部支持部の後方へ向けてハの字状に開いた状態で前記脚部支持部にそれぞれ固定されていることを特徴とする。
【発明の効果】
【００１４】
上記より、請求項１に係る介護用吊り具によれば、被介護者等への介護用吊り具の装着が容易であるとともに、被介護者等を寝ている姿勢に近い状態で吊り上げることができるため、被介護者等がリラックスした状態で吊り上げることができる。また、被介護者等の上半身を脇の下でも支持するため、吊り上げられた際に被介護者等は介護用吊り具からずり落ちないように体に力を入れてふんばる必要が無い。そして、腕や脚部を完全に固定されずにある程度自由に動かせるため、被介護者等がストレスを感じること無くリラックスした状態を保つことができる。
【００１５】
また、被介護者等の上半身を多くの箇所で、下半身を大腿部の位置で支持するため、被介護者等を安定的に支持することができる。また、被介護者等の脇の下を支持することで、被介護者等を吊り上げた際に装着した介護用吊り具の位置がずれるのを防止することができるとともに、装着位置のずれによる被介護者等の介護用吊り具からの落下を防止することができるため、安全に吊り上げることができる。更には、被介護者等の臀部周辺を支持する構造ではないため、被介護者等に介護用吊り具を装着して吊り上げることで、介護者による被介護者等の陰部及びその周辺の洗浄作業を容易に行う事が可能となる。
【００１６】
また、請求項２に係る介護用吊り具によれば、上体囲い部により被介護者等の上半身の前面が覆われた状態となるため、被介護者等の不意な起き上がりによる介護用吊り具からの落下を防止することができ、被介護者等を安定させて安全に吊り上げることができる。
【００１７】
また、請求項３、請求項４及び請求項５に係る介護用吊り具によれば、被介護者等の体のバランスや大きさに合わせて上半身の前面を覆う上体囲い部の位置や、脇の下を支持するストッパー部の位置や、介護用吊り具全体の大きさを調節する事ができるため、介護用吊り具を装着して吊り上げる際、被介護者等はよりストレスを感じること無くリラックスした状態を保つことができる。
【００１８】
また、請求項６に係る介護用吊り具によれば、被介護者等の大腿部を脚部保持部に収容し補助部を起こして閉じた状態とすることで、被介護者等の不意な動きによる大腿部の脚部保持部からの脱落及びそれによる被介護者等の介護用吊り具から落下を防止することができるため、被介護者等を安定させて安全に吊り上げることができる。
【００１９】
また、請求項７に係る介護用吊り具によれば、被介護者等が開脚した状態で吊り上げることができるため、介護者による被介護者等の陰部及びその周辺の洗浄作業を更に容易に行う事が可能となる。
【図面の簡単な説明】
【００２０】
【図１】（ａ）本発明に係る介護用吊り具の平面図である。（ｂ）同右側面図である。
【図２】（ａ）本発明に使用する上体支持部の平面図である。（ｂ）同右側面図である。
【図３】（ａ）本発明に使用する左側上体支持フレーム部の平面図である。（ｂ）同右側面図である。（ｃ）同背面図である。
【図４】（ａ）本発明に使用する左側脚部支持フレーム部の平面図である。（ｂ）同右側図である。（ｃ）同背面図である。
【図５】（ａ）本発明に使用するストッパー部が設けられた左側上体囲い部の平面図である。（ｂ）同右側面図である。（ｃ）図５（ａ）のＡ−Ａ線矢印方向から見た断面図である。
【図６】（ａ）本発明に使用する脚部保持部が設けられた脚部支持部の背面図である。（ｂ）同平面図である。（ｃ）本発明に使用する脚部保持部が設けられた脚部支持部の補助部を閉じた状態図の背面図である。（ｄ）本発明に使用する脚部保持部が設けられた脚部支持部の補助部を閉じた状態図の右側面図である。
【図７】（ａ）本発明に使用する左側連結部の平面図である。（ｂ）同右側面図である。（ｃ）同背面図である。
【図８（ａ）】本発明に係る介護用吊り具を被介護者等に装着する途中経過図である。
【図８（ｂ）】本発明に係る介護用吊り具を被介護者等に装着した際の状態図である。
【図８（ｃ）】本発明に係る介護用吊り具を被介護者等に装着し吊り上げた際の状態図である。
【発明を実施するための形態】
【００２１】
以下、本発明に係る介護用吊り具１について、図１（ａ）ないし図８（ｃ）に従って説明する。尚、以下では本発明に係る実施態様を詳細に説明するが、本発明はこれに限定されるものではない。また、説明の便宜上、平面図及び右側面図における左側を前（方）、右側を後（方）と称し、平面図における上側を右（側）、下側を左（側）と称し、背面図における右側を右（側）、左側を左（側）と称する。また、介護用吊り具１の周辺側を外側、中央側を内側と称する。そして、構造が左右対称な部材については、対応する部分について同一の名称及び符号を用いて説明する。本発明に係る介護用吊り具１は、上体固定部２と脚部固定部３と連結部４を有する。
【００２２】
上体固定部２は、図１（ａ）に示すように、上体支持部５と上体支持フレーム部６と上体囲い部８と突起部１８とストッパー部２２を有する。上体支持部５は、図２（ａ）（ｂ）に示すように、左右方向に幅の広い前方部５ａと、それよりも幅の狭い後方部５ｂからなる平面視略凸状の部材であって、上下二枚の厚さの薄い平面状の鋼板を接合することにより形成されている。
【００２３】
この二枚の鋼板は、前方部５ａの左右の両端部以外の部分が間隔を少し空けて接合されており、前方部５ａの左右の両端部には隙間９が形成されている。また、被介護者等１０１が上体支持部５の上に寝たときに痛みを感じたり負傷したりすることのないように、上体支持部５の上面と、隙間９の部分以外の全側面には弾性を有するクッション材１１が設けられている。そのため、上体支持部５の前方部５ａによって被介護者等１０１の背中の上部及び肩部を支持しつつ、後方部５ｂによって頭部を支持することができる。
【００２４】
上体支持フレーム部６は、左側上体支持フレーム部６ａと右側上体フレーム部６ｂがある。そのうちの左側上体支持フレーム６ａは、図１（ａ）（ｂ）及び図３（ａ）〜（ｃ）に示すように、主に厚さの薄い鋼板で形成されており、前後方向に延びる垂直面１２ａとその上端部から外側へ略直角に折り曲げられた水平面１２ｂを有する断面略Ｌ字状のアーム部１２と、そのアーム部１２の後端部において垂直面１２ａとは略直角の角度を成すとともに、水平面１２ｂとは反対側（内側）に延びる平面視略長方形状の挿入部１３を有する。
【００２５】
この挿入部１３の前端及び後端には、挿入部１３に対し垂直であってアーム部１２の垂直面１２ａとは反対側の下方へ向けて突出するとともに、挿入部１３の右端から左端にかけて延びる起立部１４が設けられている。そして、挿入部１３の厚さに起立部１４の高さを加えた高さＢ１は、上体支持部５の隙間９の間隔Ｃ１とほぼ同じかやや低く形成されている。また、挿入部１３の幅Ｂ２は、隙間９の幅Ｃ２とほぼ同じかやや狭く形成されている。
【００２６】
また、右側上体支持フレーム部６ｂは、左側上体支持フレーム部６ａと左右対称である以外は同一の構造を有している。そのため、上体支持部５の左側の隙間９に左側上体支持フレーム部６ａの挿入部１３を、右側の隙間９に右側上体支持フレーム部６ｂの挿入部１３をそれぞれ挿入することができ、上体支持部５と連結可能となっている。尚、連結する際は、左側上体支持フレーム部６ａ及び右側上体支持フレーム部６ｂのアーム部１２が、以下で詳述する脚部支持部２９側へ向けて延びるように連結する。
【００２７】
そして、上記のように、上体支持部５の左右の隙間９，９の大きさが、左側上体支持フレーム部６ａ及び右側上体支持フレーム部６ｂの挿入部１３をちょうど挿入できる大きさであるため、挿入後は左側上体支持フレーム部６ａ及び右側上体支持フレーム部６ｂがぐらついたり簡単に外れたりせずにしっかりと上体支持部５に連結された状態となる。
【００２８】
左側上体支持フレーム部６ａのアーム部１２の水平面１２ｂには、図３（ａ）に示すように、上体囲い部８を連結するための略長方形状の固定孔１５が、その後端部から前方に向けて一列に等間隔で複数個（本実施例では１１個）形成されている。また、アーム部１２の垂直面１２ａには、図３（ｂ）に示すように、後述する脚部支持フレーム部３０（左側脚部支持フレーム部３０ａ）と連結するための連結孔１６が、垂直面１２ａの上下方向の略中央であってその前端部から後方へ向けて一列に等間隔で複数個（本実施例では５個）形成されている。
【００２９】
また、左側上体支持フレーム部６ａのアーム部１２の垂直面１２ａの後端部には、介護用吊り具１を吊るための吊り紐であるワイヤー１０２を掛けるための突起部１８が外側に突出するように設けられている。尚、突起部１８にワイヤー１０２を掛けて介護用吊り具１を吊り上げた際に、ワイヤー１０２の邪魔にならないように、突起部１８の上方においては水平面１２ｂが切り欠かれている。
【００３０】
また、左側上体支持フレーム部６ａのアーム部１２の垂直面１２ａにおいては、内側に突出する厚さの厚い帯状の弾性を有するクッション材１７が、その垂直面１２ａの後端部から前方へ向けて延びるように設けられている。そのため、被介護者等１０１に介護用吊り具１を装着した際に、被介護者等１０１の肩部がアーム部１２ａの垂直面１２ａに直接当たって痛みを感じたり負傷したりするのを防止することができる。
【００３１】
上体囲い部８は、左側上体囲い部８ａと右側上体囲い部８ｂがある。そのうちの左側上体囲い部８ａは、図１（ａ）（ｂ）及び図５（ａ）〜（ｃ）に示すように、主に厚さの薄い鋼板で形成されており、垂直面２４とその上端部から内側へ略直角に折り曲げられた水平面１９を有する。そして、その水平面１９の右寄りの位置であって前後方向の中央付近には、左右方向に延びる細長い略楕円形状であって大きさが等しい二つのスライド孔２０，２０が平行に形成されている。
【００３２】
そして、被介護者等１０１の脇の下を支持するための断面横長略楕円形状の柱状体であるストッパー部２２が、水平面１９の下方に延びるように固定されている。具体的には、二つのスライド孔２０，２０にそれぞれボルト２１が挿通され、ストッパー部２２の上端面に形成された二つのネジ穴（図示せず）に、そのボルト２１がそれぞれ螺合されている。
【００３３】
そのため、二つのボルト２１，２１の締め付けを緩めることで、ストッパー部２２がスライド孔２０に沿ってスライド可能となるため、ストッパー部２２の設置位置を、水平面１９（上体固定部２）の左右方向に調節することができる（本実施例では左右方向に約７０ｍｍ移動可能）。一方、二つのボルト２１，２１を強く締め付けることで、ストッパー部２２を水平面１９に固定することができる。
【００３４】
また、ストッパー部２２の外周面には、弾性を有するクッション材２３が設けられている。そのため、被介護者等１０１に介護用吊り具１を装着して吊り上げることにより、被介護者等１０１の脇の下がストッパー部２２によって支持された場合に、被介護者等１０１が痛みを感じたり負傷するのを防止することができる。
【００３５】
左側上体囲い部８ａの垂直面２４の下端部には、アーム部１２の水平面１２ｂに形成された固定孔１５に挿通可能な略Ｌ字形の係止部２５が形成されている。この係止部２５は、等間隔で複数個（本実施例では６個）形成されており、先端部が左側上体囲い部８ａの前方を向くとともに、その先端部と垂直面２４の下端部との間には、アーム部１２の水平面１２ｂをちょうど挿入できる隙間が設けられている。
【００３６】
尚、左側上体囲い部８ａの垂直面２４と係止部２５の境界線上には、左側上体囲い部８ａの係止部２５を左側上体支持フレーム部６ａの水平面１２ｂの固定孔１５に挿通して固定する際に、左側上体囲い部８ａが水平面１２ｂ上で左右方向にぐらつくのを防止するためのリブ２６が設けられている。このリブ２６は、左側上体囲い部８ａの垂直面２４の両側からその垂直面２４に対して垂直方向に突出し、垂直面２４の前端部付近から後端部付近にかけて延びるように設けられている。
【００３７】
また、右側上体囲い部８ｂは、左側上体囲い部８ａと左右対称である以外は同一の構造を有している。そのため、左側上体囲い部８ａの全ての係止部２５を左側上体支持フレーム部６ａのアーム部１２の水平面１２ｂの適当な位置の固定孔１５に、右側上体囲い部８ｂの全ての係止部２５を右側上体支持フレーム部６ｂのアーム部１２の水平面１２ｂの適当な位置の固定孔１５にそれぞれ挿通し、リブ２６がアーム部１２の水平面１２ｂに当接するまで押し込む。そして、左側上体囲い部８ａ及び右側上体囲い部８ｂを上体固定部２の前方に向けてスライドさせ、係止部２５の先端部と垂直面２４の下端部との間の隙間にアーム部１２の水平面１２ｂを挿入させることで、左側上体囲い部８ａを左側上体支持フレーム部６ａに、右側上体囲い部８ｂを右側上体支持フレーム部６ｂにそれぞれ固定することができる。
【００３８】
尚、上記のように固定することで、左側上体囲い部８ａ及び右側上体囲い部８ｂに固定されたストッパー部２２は上体固定部２の下方に向けて延び、その下端面は上体支持部５の上面のすぐ上方に位置する状態となる（図１（ｂ）参照。）。
【００３９】
また、固定孔１５の数（本実施例では１１個）は係止部２５の数（本実施例では６個）よりも多く形成されているため、固定孔１５の位置を適宜選択することにより、左側上体囲い部８ａ及び右側上体囲い部８ｂの設置位置を左側上体フレーム部６ａ及び右側上体フレーム部６ｂ（上体固定部２）の前後方向に調節することができる（本実施例では前後方向に約１２５ｍｍ移動可能）。尚、左側上体囲い部８ａ及び右側上体囲い部８ｂを上記のように設置する際は、上体固定部２の前後方向において同じ位置にそれらを設置する。
【００４０】
そして、左側上体囲い部８ａ及び右側上体囲い部８ｂの設置位置を調節することで、それらに固定されているストッパー部２２の設置位置も、左側上体支持フレーム部６ａ及び右側上体支持フレーム部６ｂ（上体固定部２）の前後方向に調節することができる。
【００４１】
また、左側上体囲い部８ａ及び右側上体囲い部８ｂの水平面１９の前端部付近及び後端部付近には、その水平面１９に対して垂直に上方へ向けて突出するとともに水平面１９のの右端から左端にかけて延びる補強リブ２８が設けられている。これにより、被介護者等１０１の脇の下がストッパー部２２によって支持されることにより、ストッパー部２２が固定されている左側上体囲い部８ａ及び右側上体囲い部８ｂの水平面１９に負荷がかかった場合であっても、水平面１９が変形したり破損したりするのを防止することができる。
【００４２】
上記上体固定部２の構造により、構造が簡単であるため被介護者等１０１への装着が容易であるとともに、被介護者等１０１を吊り上げた際に上体固定部２によってその上半身を頭部、背中の上部、脇の下等の多くの箇所で支持することができるため、被介護者等１０１の上半身を安定的に支持することができる。
【００４３】
また、左側上体囲い部８ａ及び右側上体囲い部８ｂによって被介護者等１０１の上半身の前面が覆われた状態となるため、被介護者等１０１の不意な起き上がりを防止することができるとともに、それによる介護用吊り具１からの落下を防止することができるため、被介護者等１０１を安定させて安全に吊り上げることができる。また、被介護者等１０１が腕部の肘から先をある程度自由に動かせるため、介護用吊り具１を装着して吊り上げた際、被介護者等１０１はストレスを感じること無くリラックスした状態を保つことができる。
【００４４】
また、被介護者等１０１の体の大きさに合わせて上半身の前面を覆う左側上体囲い部８ａ及び右側上体囲い部８ｂの設置位置、及び脇の下を支持するストッパー部２２の設置位置を調節する事ができる。そのため、介護用吊り具１を装着して吊り上げた際、被介護者等１０１は窮屈である等のストレスを感じることが無く、リラックスした状態を保つことができる。
【００４５】
また、上体支持部５、左側上体支持フレーム部６ａ、右側上体支持フレーム部６ｂ及びストッパー部２２に設けられたクッション材１１，１７，２３により、被介護者等１０１に介護用吊り具１を装着して吊り上げた際に、体の一部が上体支持部５等に接触して被介護者等１０１が痛みを感じたり負傷することを防止することができるため、被介護者等１０１はストレスを感じること無くリラックスした状態を保つことができる。
【００４６】
尚、上体支持部５の前方部５ａは、被介護者等１０１の背中の下部まで支持できるように、前方に向けて延びるように大きく形成されていてもよい。このように前方部５ａを大きくすることで、被介護者等１０１の上半身をより安定した状態で支持することができるとともに、介護用吊り具１からの落下をより確実に防止することができる。
【００４７】
また、ストッパー部２２を左側上体囲い部８ａ及び右側上体囲い部８ｂに固定する構造では無く、上体支持部５の前方部５ａに貫通孔（図示せず）を複数形成し、その貫通孔に前方部５ａの底面側からボルトを挿通して、ストッパー部２２の下端面に形成された二つのネジ穴にそれぞれ螺合して固定できる構造とし、被介護者等１０１の体の大きさに合わせてストッパー部２２の設置位置を調節する事ができるようにしてもよい。
【００４８】
脚部固定部３は、図１（ａ）（ｂ）に示すように、脚部支持部２９と脚部支持フレーム部３０と脚部保持部３１と突起部３２を有する。脚部支持部２９は、図１（ａ）（ｂ）及び図６（ａ）〜（ｄ）に示すように、平面視横長略長方形状の部材であって、上下二枚の厚さの薄い平面状の鋼板を接合することにより形成されている。この二枚の鋼板は、左右の両端部以外の部分が間隔を少し空けて接合されており、左右の両端部には隙間３３が形成されている。また、被介護者等１０１の大腿部を支持したときに、大腿部が当たっても痛みを感じたり負傷することがないように、脚部支持部２９の上面と、隙間３３の部分以外の全側面には弾性を有するクッション材３７が設けられている。
【００４９】
そして、脚部支持部２９の上面には、その前方に向けてテーパがつけられた略半円筒状の脚部保持部３１が左右に一つずつ設けられている。これら２つの脚部保持部３１，３１は、被介護者等１０１の大腿部を収容可能であり、脚部保持部３１の左右両端部のうち脚部支持部２９の中央側に位置する端部が、その両端側に位置する端部よりも少し前方に位置し、左右の脚部保持部３１，３１が脚部支持部２９の後方へ向けてハの字状に開いた状態（具体的には脚部保持部３１の前端部が脚部支持部２９の前端部に対し約２５°傾いた状態）で脚部支持部２９に固定されている。
【００５０】
また、脚部保持部３１の左右両端部付近には、任意の角度（位置）に固定できるヒンジ３５を介して、板状体の補助部３６がそれぞれ設けられている。そのため、補助部３６を倒して開いた状態（図６（ａ）（ｂ）参照）または起こして閉じた状態（図６（ｃ）（ｄ）参照）にすることができる。また、脚部保持部３１の内周面には、被介護者等１０１が脚部保持部３１内に大腿部を収容させた際に痛みを感じたり負傷することのないように、弾性を有するクッション材３８が設けられている。
【００５１】
脚部支持フレーム部３０は、左側脚部支持フレーム部３０ａと右側脚部支持フレーム部３０ｂがある。そのうちの左側脚部支持フレーム３０ａは、図１（ａ）（ｂ）及び図４（ａ）（ｂ）に示すように、主に厚さの薄い鋼板で形成されており、前後方向に延びる垂直面３９ａとその上端部から内側へ略直角に折り曲げられたリブ部３９ｂ及び外側へ略直角に折り曲げられたリブ部３９ｃを有するアーム部３９と、そのアーム部３９の前端部において垂直面３９ａとは略直角の角度を成すとともに、内側に延びる平面視略長方形状の挿入部４０を有する。尚、リブ部３９ｂ，３９ｃは、以下で詳述するように、アーム部３９には大きな負荷がかかるため、そのアーム部３９の強度を上げるための役割を有している。
【００５２】
挿入部４０の前端及び後端には、挿入部４０に対し垂直であってアーム部３９の垂直面３９ａとは反対側の下方へ向けて突出するとともに、挿入部４０の右端から左端にかけて延びる起立部４１が設けられている。そして、挿入部４０の厚さに起立部４１の高さを加えた高さＤ１は、脚部支持部２９の隙間３３の間隔Ｅ１とほぼ同じかやや低く形成されている。また、挿入部４０の幅Ｄ２は、隙間３３の幅Ｅ２とほぼ同じかやや狭く形成されている。
【００５３】
また、左側脚部支持フレーム部３０ａのアーム部３９のアーム幅Ｆは、左側上体支持フレーム部６ａ及び右側上体支持フレーム部６ｂのアーム部１２のアーム幅Ｇとほぼ等しくなるように形成されている。
【００５４】
また、右側脚部支持フレーム部３０ｂは、左側脚部支持フレーム部３０ａと左右対称である以外は同一の構造を有している。そのため、脚部支持部２９の左側の隙間３３に左側脚部支持フレーム部３０ａの挿入部４０を、右側の隙間３３に右側脚部支持フレーム部３０ｂの挿入部４０をそれぞれ挿入することができ、脚部支持部２９と連結可能となっている。尚、連結する際は、左側脚部支持フレーム部３０ａ及び右側脚部支持フレーム部３０ｂのアーム部３９が、上体支持部５側へ向けて延びるように連結する。
【００５５】
そして、上記のように、脚部支持部２９の左右の隙間３３，３３の大きさが、左側脚部支持フレーム部３０ａ及び右側脚部支持フレーム部３０ｂの挿入部４０をちょうど挿入できる大きさであるため、挿入後は左側脚部支持フレーム部３０ａ及び右側脚部支持フレーム部３０ｂがぐらついたり簡単に外れたりせずにしっかりと脚部支持部２９に連結された状態となる。
【００５６】
左側脚部支持フレーム３０ａのアーム部３９の垂直面３９ａには、左側上体支持フレーム部６ａと連結するための連結孔４２が、垂直面３９ａの上下方向の略中央であってその後端部から前方へ向けて一列に等間隔で複数個（本実施例では５個）形成されている。また、アーム部３９の垂直面３９ａの内側であって連結孔４２が形成されている位置には、以下で詳述する連結部４の連結レバー４５の先端部であるネジ部４５ａを螺合させるためのナット４３が溶接されている。また、アーム部３９の垂直面３９ａの前端部には、介護用吊り装置１を吊るための吊り紐であるワイヤー１０２を掛けるための突起部３２が外側に突出するように設けられている。
【００５７】
上記脚部固定部３の構造により、構造が簡単であるため被介護者等１０１への装着が容易であるとともに、被介護者等１０１を吊り上げた際に脚部保持部３１によってその下半身を大腿部の付け根付近の位置で支持することができるため、安定的に被介護者等１０１の下半身を支持することができる。また、脚部保持部３１内に被介護者等１０１の大腿部を収容した後に補助部３６を起こして閉じた状態とすることで、被介護者等１０１の不意な動きがあった場合であっても、大腿部の脚部保持部３１からの脱落を防止できるとともに、それによる被介護者等１０１の介護用吊り具１から落下を防止することができるため、被介護者等１０１を安定させて安全に吊り上げることができる。また、被介護者等１０１が脚部の膝から下をある程度自由に動かせるため、介護用吊り具１を装着して吊り上げた際、被介護者等１０１はストレスを感じること無くリラックスした状態を保つことができる。
【００５８】
また、脚部支持部２９、脚部保持部３１に設けられたクッション材３７，３８により、被介護者等１０１に介護用吊り具１を装着して吊り上げた際に、体の一部が脚部支持部２９等に接触して被介護者等１０１が痛みを感じたり負傷することを防止することができるため、被介護者等１０１はストレスを感じること無くリラックスした状態を保つことができる。
【００５９】
また、左右の脚部保持部３１，３１は、上記のように脚部支持部２９の後方へ向けてハの字状に開いた状態（具体的には脚部保持部３１の前端部が脚部支持部２９の前端部に対し約２５°傾いた状態）で脚部支持部２９に固定されているため、脚部保持部３１内に被介護者等１０１の大腿部を収容することで、被介護者等１０１は開脚した状態となる。
【００６０】
そして、被介護者等１０１の臀部周辺は、介護用吊り具１によって支持されたり覆われたりされていないため、被介護者等１０１に介護用吊り具１を装着して吊り上げることで、介護者により被介護者等１０１の陰部及びその周辺の洗浄作業を容易に行うことができるとともに、介護用吊り具１を汚すことなく被介護者等１０１の陰部等の洗浄を行うことができる。そのため、介護者により被介護者等１０１の陰部等の洗浄作業を行う際の負担を大幅に軽減することができる。
【００６１】
尚、上記約２５°という角度は、被介護者等１０１に介護用吊り具１を装着してワイヤー１０２で吊り上げた際に、被介護者等１０１が無理なく快適に開脚できる角度であるとともに、介護者が陰部等の洗浄作業を行いやすい角度となっている。
【００６２】
連結部４は、左側連結部４ａと右側連結部４ｂがある。そのうち左側連結部４ａは、図１（ａ）（ｂ）及び図７（ａ）ないし（ｃ）に示すように、回転制限部４４と連結レバー４５とナット４６を有する。回転制限部４４は、主に厚さの薄い鋼板で形成されており、断面が略コの字状となるように垂直面４７の上端部及び下端部が内側へ略直角に折り曲げられ、上部折り曲げ部４９ａ及び下部折り曲げ部４９ｂが設けられている。
【００６３】
この上部折り曲げ部４９ａは、その前端部から全長の約３分の１までの間には水平部４９１ａが、残りの約３分の２には後方へ向けて上方に傾斜する傾斜部４９２ａが形成されている。一方、下部折り曲げ部４９ｂは、その前端部から全長の約３分の２までの間には後方へ向けて上方に傾斜する傾斜部４９１ｂが、残りの約３分の１には水平部４９２ｂが形成されている。
【００６４】
尚、上部折り曲げ部４９ａの水平部分４９１ａと下部折り曲げ部４９ｂの水平部４９２ｂは平行に形成され、それらの間隔Ｈは、左側上体支持フレーム部６ａのアーム部１２のアーム幅Ｇ及び左側脚部支持フレーム部３０ａのアーム部３９のアーム幅Ｆとほぼ同じで、アーム部１２，３９をちょうど収容できる幅に形成されている。
【００６５】
また、上部折り曲げ部４９ａの傾斜部４９２ａと下部折り曲げ部４９ｂの傾斜部４９１ｂは、傾斜角度が等しく平行であって、上部折り曲げ部４９ａの水平部４９１ａ及び下部折り曲げ部４９ｂの水平部４９２ｂに対して約２３°の角度で傾斜するように形成されている。また、傾斜部４９２ａと傾斜部４９１ｂの間隔Ｉは、左側上体支持フレーム部６ａのアーム部１２のアーム幅Ｇとほぼ同じで、アーム部１２をちょうど収容できる幅に形成されている。
【００６６】
また、回転制限部４４の垂直面４７の中心付近には連結孔４８が形成されている。そして、その連結孔４８にはＬ字形の連結レバー４５の先端部が外側（上部折り曲げ部４９ａ及び下部折り曲げ部４９ｂがある側とは逆側）から挿通されている。この連結レバー４５の先端部にはネジが切られたネジ部４５ａが設けられ、その一番奥までナット４６が螺合されており、ネジ部４５ａのナット４６から先の部分が連結孔４８に挿通され、回転制限部４４の上部折り曲げ部４９ａの水平部分４９１ａと下部折り曲げ部４９ｂの水平部４９２ｂの間の隙間Ｊに位置する状態となっている。
【００６７】
また、上部折り曲げ部４９ａ及び下部折り曲げ部４９ｂの左右方向の幅は、図１（ａ）に示すように、以下で詳述する左側上体支持フレーム部６ａのアーム部１２の前方端部の垂直面１２ａと左側脚部支持フレーム部３０ａのアーム部３９の後方端部の垂直面３９ａとの重なり部分における左右方向の幅よりも広く形成されており、アーム部１２とアーム部３９を連結する際にその重なり部分が上部折り曲げ部４９ａによって隠れて見えないようになっている。
【００６８】
また、連結レバー４５のネジ部４５ａは、アーム部１２とアーム部３９の連結の際に、アーム部３９の垂直面３９ａに溶接されたナット４３に螺合可能な長さを有している。尚、右側連結部４ｂは、左側連結部４ａと左右対称である以外は同一の構造を有している。
【００６９】
上記構造により、上体固定部２の上体支持フレーム部６と脚部固定部３の脚部支持フレーム部３０とを連結部４によって連結することができる。具体的には、まず上体支持部５の前端部と脚部支持部２９の後端部が平行になるように間隔を置いてそれぞれ配置する。次に、上体支持部５の前方部５ａの左右の両端部の隙間９，９に上記のようにそれぞれ左側上体支持フレーム部６ａ及び右側上体支持フレーム部６ｂの挿入部１３，１３を挿入して連結する。一方、脚部支持部２９の左右の両端部の隙間３３，３３に上記のようにそれぞれ左側脚部支持フレーム部３０ａ及び右側脚部支持フレーム部３０ｂの挿入部４０，４０を挿入して連結する。
【００７０】
そして、左側上体支持フレーム部６ａのアーム部１２を左側脚部支持フレーム部３０ａのアーム部３９の外側に、また、右側上体支持フレーム部６ｂのアーム部１２を右側脚部支持フレーム部３０ｂのアーム部３９の外側にして、アーム部１２の前方端部の垂直面１２ａとアーム部３９の後方端部の垂直面３９ａがちょうど重なって接し、アーム部１２とアーム部３９とが一直線になるように配置する。このとき、アーム部１２の連結孔１６とアーム部３９の連結孔４２がちょうど重なるように調節して配置する。
【００７１】
そして、左側連結部４ａの回転制限部４４の隙間Ｊ、及び右側連結部４ｂの回転制限部４４の隙間Ｊにそれぞれアーム部１２の垂直面１２ａとアーム部３９の垂直面３９ａの重なり部分を挿入する。このとき、左側連結部４ａの連結レバー４５のネジ部４５ａの先端を左側上体支持フレーム部６ａのアーム部１２の垂直面１２ａに、右側連結部４ａの連結レバー４５のネジ部４５ａの先端を右側上体支持フレーム部６ｂのアーム部１２の垂直面１２ａにそれぞれ向けながら、回転制限部４４の隙間Ｊに上記重なり部分を挿入する。
【００７２】
そして、左側上体支持フレーム部６ａのアーム部１２の連結孔１６と左側脚部支持フレーム部３０ａのアーム部３９の連結孔４２とがちょうど重なった連結孔５０、及び右側上体支持フレーム部６ｂのアーム部１２の連結孔１６と右側脚部支持フレーム部３０ｂのアーム部３９の連結孔４２とがちょうど重なった連結孔５０に、それぞれ左側連結部４ａ及び右側連結部４ｂの連結レバー４５のネジ部４５ａを挿入しつつ回転させることで、左側脚部支持フレーム部３０ａ及び右側脚部支持フレーム部３０ｂのナット４３に螺合させ、締め付けることでアーム部１２とアーム部３９を連結する。（図１（ａ）（ｂ）参照）。
【００７３】
尚、上記にように左側連結部４ａ及び右側連結部４ｂによりアーム部１２とアーム部３９を連結する際は、以下で詳述するように、左側上体支持フレーム部６ａ及び右側上体支持フレーム部６ｂが連結レバー４５を中心軸として回動可能（揺動可能）となるように、連結レバー４５の締め付けはやや緩くしておく。
【００７４】
また、回転制限部４４の上部折り曲げ部４９ａの水平部４９１ａと下部折り曲げ部４９ｂの水平部４９２ｂの間隔Ｈは、上記のようにアーム部１２のアーム幅Ｇ及びのアーム部３９のアーム幅Ｆとほぼ同じ幅に形成されているため、回転制限部４４の隙間Ｊに、アーム部１２の垂直面１２ａとアーム部３９の垂直面３９ａの重なり部分を挿入する際は、アーム部１２の水平面１２ｂ及びアーム部３９のリブ部３９ｂは上部折り曲げ部４９ａの水平部４９１ａとほぼ平行な状態で、また、アーム部１２の垂直面１２ａ及びアーム部３９の垂直面３９ａは回転制限部４４の垂直面４７とほぼ平行な状態で挿入される。そして、それらの状態を維持したままアーム部１２とアーム部３９が連結レバー４５によって連結される。
【００７５】
上記構造により、全体の構造が簡単であるため被介護者等１０１への介護用吊り具１の装着が容易であるとともに、左側上体支持フレーム部６ａ及び右側上体支持フレーム部６ｂの突起部１８と、左側脚部支持フレーム部３０ａ及び右側脚部支持フレーム部３０ｂの突起部３２にワイヤー１０２を掛け、リフト１０４等を使用することにより被介護者等１０１を吊り上げることができる。
【００７６】
吊り上げた際、介護用吊り具１を右側面から見たときに、図８（ｃ）に示すように、ワイヤー１０２によって左側脚部支持フレーム部３０ａ及び右側脚部支持フレーム部３０ｂが連結レバー４５を中心軸として右回りに回転しようとする力が働く。しかし、左側脚部支持フレーム部３０ａ及び右側脚部支持フレーム部３０ｂのアーム部３９における垂直面３９ａの上端部に設けられたリブ部３９ｂが回転制限部４４の上部折り曲げ部４９ａの水平部４９１ａに、垂直面３９ａの下端部が回転制限部４４の下部折り曲げ部４９ｂの水平部４９２ｂにそれぞれ当接するため、左側脚部支持フレーム部３０ａ及び右側脚部支持フレーム部３０ｂが右回りに回転しようとする動きが制限される。
【００７７】
尚、アーム部３９が上記のように回転制限部４４に当接することによりアーム部３９に負荷がかかった場合であっても、上記よりアーム部３９の垂直面３９ａが回転制限部４４の水平部４９１ａ，４９２ｂに対してほぼ９０°の角度を保ちながら当接するため、アーム部３９の変形を最小限に抑えることができる構造となっている。
【００７８】
一方、ワイヤー１０２によって左側上体支持フレーム部６ａ及び右側上体支持フレーム部６ｂが連結レバー４５を中心軸として左回りに回転しようとする力が働く。そのため、左側上体支持フレーム部６ａ及び右側上体支持フレーム部６ｂのアーム部１２における垂直面１２ａの上端部に設けられた水平面１２ｂが回転制限部４４の上部折り曲げ部４９ａの傾斜部４９２ａに、垂直面１２ａの下端部が回転制限部４４の下部折り曲げ部４９ｂの傾斜部４９１ｂにそれぞれ当接するまで左回りに回転する。
【００７９】
尚、アーム部１２が上記のように回転制限部４４に当接することによりアーム部１２に負荷がかかった場合であっても、上記よりアーム部１２の垂直面１２ａが回転制限部４４の傾斜部４９２ａ，４９１ｂに対してほぼ９０°の角度を保ちながら当接するため、アーム部１２の変形を最小限に抑えることができる構造となっている。
【００８０】
このような回転制限部４４の働きにより、連結している左側上体支持フレーム部６ａのアーム部１２と左側脚部支持フレーム部３０ａアーム部３９、及び右側上体支持フレーム部６ｂのアーム部１２と右側脚部支持フレーム部３０ｂアーム部３９が連結レバー４５の位置を境にしてくの字に折れ曲がり、一定の角度を形成する（本実施例においては約１５７°）とともにその状態が維持される。
【００８１】
それに伴い、その介護用吊り具１を装着した被介護者等１０１の体も腰の位置でくの字に折れ曲がり、上体が少し起き上がった姿勢で吊り上げられる。よって、被介護者等１０１は寝ている状態に近い姿勢でありながら前方や周囲を確認しやすい姿勢となるため、被介護者等１０１がリラックスした状態で吊り上げることができる。
【００８２】
尚、上記一定の角度は、被介護者等１０１に介護用吊り具１を装着してワイヤー１０２で吊り上げた際に、被介護者等１０１が快適に感じる角度であり、特に快適に感じられる約１５７°であることが最も望ましいが、約１５０°〜約１６５°の間の角度であれば良い。
【００８３】
また、介護用吊り具１が吊り上げられた際に被介護者等１０１の状態が安定するように、図８（ｃ）に示すように、左側脚部支持フレーム部３０ａ及び右側脚部支持フレーム部３０ｂのアーム部３９が地面に対し水平な状態となるようにワイヤー１０２の長さを事前に調節しておく。
【００８４】
具体的には、突起部３２に掛けるワイヤー１０２長さは一定とし、突起部１８に掛けるワイヤー１０２の長さを介護用吊り具１の全長に合わせて変更することで、吊り上げた際にレバー４５の位置を境にしてくの字に折れ曲がった状態の介護用吊り具１のアーム部３９が、地面に対し水平な状態となるように調節する。
【００８５】
また、被介護者等１０１が吊り上げられた際、被介護者等１０１の上半身は少し起き上がった姿勢で吊り上げられる一方、臀部付近は介護用吊り具１によって支持されていないため、被介護者等１０１の上半身には上体支持部５上を前方に向かってずり落ちる力が働く。そのため、被介護者等１０１の上半身は、上体固定部２の上体支持部５によって頭部、背中の上部及び肩部が支持されるのみならず、ストッパー部２２によって脇の下が支持された状態となる。
【００８６】
また、ストッパー部２２により被介護者等１０１の脇の下が支持されることで、被介護者等１０１の上半身が上体支持部５からずり落ちて装着した介護用吊り具１の位置がずれるのを防止することができるとともに、そのずれによる被介護者等１０１の介護用吊り具１からの落下を防止することができるため、安全に吊り上げることができる。
【００８７】
また、吊り上げられた際に、被介護者等１０１の脇の下が支持されることで、介護用吊り具１によって支持されていない臀部から落下しないよう被介護者等１０１が腰回りに力を入れてふんばる必要が無いため、被介護者等１０１はストレスを感じること無くリラックスした状態を保つことができる。
【００８８】
また、回転制限部４４の働きにより、脚部固定部３によって脚部保持部３１に収容された大腿部を水平に支持することができるため、収容位置がずれて大腿部が脚部保持部３１から脱落するのを防止することができるとともに、その脱落による被介護者等１０１の介護用吊り具１からの落下を防止することができる。そのため、被介護者等１０１の下半身を安定的に支持することができるとともに、安全に吊り上げることができる。
【００８９】
尚、左側上体支持フレーム部６ａのアーム部１２の前方端部の垂直面１２ａと左側脚部支持フレーム部３０ａのアーム部３９の後方端部の垂直面３９ａ、及び右側上体支持フレーム部６ｂのアーム部１２の前方端部の垂直面１２ａと右側脚部支持フレーム部３０ｂのアーム部３９の後方端部の垂直面３９ａが重なるように配置した際、アーム部１２の連結孔１６とアーム部３９の連結孔４２とがちょうど重なった連結孔５０が複数存在する場合には、いずれか一つの連結孔５０を選択して、左側連結部４ａ及び右側連結部４ｂによって連結する。
【００９０】
このとき、被介護者等１０１の腰が折れる位置に近い位置の連結孔５０を選択する。こうすることで、被介護者等１０１の腰が折れ曲がる位置と、アーム部１２とアーム部３９がくの字に折れ曲がる際に中心軸となる連結レバー４５の位置が揃うため、介護用吊り具１によって被介護者等１０１の体に負担をかけることなくバランス良く吊ることができる。
【００９１】
よって、被介護者等１０１の座高が高い場合には、介護用吊り具１の前方寄りの位置の連結孔５０を、一方、被介護者等１０１の座高が低い場合には介護用吊り具１の後方寄りの位置の連結孔５０を選択してアーム部１２とアーム部３９を連結する。
【００９２】
また、被介護者等１０１の身長が高い場合には介護用吊り具１の全長が長くなるように、一方、被介護者等１０１の身長が低い場合には介護用吊り具１の全長が短くなるように上体固定部２と脚部固定部３を配置しながらアーム部１２とアーム部３９を連結する。
【００９３】
このように、被介護者等１０１の体のバランスや大きさに合わせて介護用吊り具１の連結位置や全長を調節することができるため、被介護者等１０１が窮屈である等のストレスを感じることが無い。そのため、介護用吊り具１を装着して吊り上げた際、被介護者等１０１はリラックスした状態を保つことができる。
【００９４】
尚、介護用吊り具１の左右において、アーム部１２の連結孔１６とアーム部３９の連結孔４２とがちょうど重なった連結孔５０が複数あり、いずれか一つの連結孔５０を選択する場合は、介護用吊り具１の前後方向において同じ位置の連結孔５０を選択する。
【００９５】
また、本実施例に係る介護用吊り具１は、上体固定部２と脚部固定部３の配置する位置を調節することで、全長を９７８ｍｍから１２７８ｍｍまで変更することができる。そのため、主に身長が約１５０ｃｍ〜１８０ｃｍの被介護者等１０１に使用することができる。
【００９６】
以下では、本実施例に係る介護用吊り具１を使用した被介護者等１０１の吊り上げ方法等について具体的に説明する。まず、ベッド１０３上に真っ直ぐな姿勢で仰向けに寝ている被介護者等１０１を横向きとなるように転がし、ベッド１０３上の背中が付いていた位置に上体支持部５を設置した後、仰向けの状態に戻すことで、被介護者等１０１を上体支持部５の上に寝かせた状態とする。このとき、図８（ａ）に示すように、幅の狭い後方部５ｂに頭部が、幅の広い前方部５ａには背中の上部及び双方の肩部が乗るように上体支持部５を設置する。
【００９７】
次に、被介護者等１０１の膝を立てるなどして大腿部を浮かせ、脚部保持部３１の２つの補助部３６が倒れて開いた状態の脚部支持部２９を、ベッド１０３上の大腿部が付いていた位置に設置した後、膝を伸ばした状態に戻すことで、被介護者等１０１の大腿部を脚部保持部３１の内部に収容させた状態とする。収容後は、被介護者等１０１の大腿部が脚部保持部３１から脱落する事が無いように、２つの補助部３６を起こして閉じた状態とする。
【００９８】
このとき、図８（ａ）に示すように、上体支持部５の前端部と脚部支持部２９の後端部が平行になるように配置するとともに、脚部保持部３１内に被介護者等１０１の大腿部の付け根付近を収容できる位置に脚部支持部２９を設置する。
【００９９】
次に、上体支持部５の左右の隙間９，９にそれぞれ左側上体支持フレーム部６ａ及び右側上体支持フレーム部６ｂの挿入部１３，１３を挿入して、上体支持部５と連結する。また、脚部支持部２９の左右の隙間３３，３３にもそれぞれ左側脚部支持フレーム部３０ａ及び右側脚部支持フレーム部３０ｂの挿入部４０，４０を挿入して、脚部支持部２９と連結する。
【０１００】
そして、左側上体支持フレーム部６ａのアーム部１２を左側脚部支持フレーム部３０ａのアーム部３９の外側に、また、右側上体支持フレーム部６ｂのアーム部１２を右側脚部支持フレーム部３０ｂのアーム部３９の外側にして、アーム部１２の前方端部の垂直面１２ａとアーム部３９の後方端部の垂直面３９ａがちょうど重なって接し、アーム部１２とアーム部３９とが一直線になるように配置する。そして、アーム部１２の連結孔１６とアーム部３９の連結孔４２がちょうど重なるように調節して配置する。
【０１０１】
そしてその配置後、左側連結部４ａの連結レバー４５のネジ部４５ａの先端を左側上体支持フレーム部６ａのアーム部１２の垂直面１２ａに、右側連結部４ａの連結レバー４５のネジ部４５ａの先端を右側上体支持フレーム部６ｂのアーム部１２の垂直面１２ａにそれぞれ向けながら、左側連結部４ａの回転制限部４４の隙間Ｊ、及び右側連結部４ｂの回転制限部４４の隙間Ｊにそれぞれアーム部１２の垂直面１２ａとアーム部３９の垂直面３９ａの重なり部分を挿入する。
【０１０２】
そして、介護用吊り具１の左右に位置する上記重なり部分のそれぞれにおいて、アーム部１２の連結孔１６とアーム部３９の連結孔４２とがちょうど重なった連結孔５０の位置をいずれか一つ選択し、その連結孔５０に左側連結部４ａ及び右側連結部４ｂの連結レバー４５のネジ部４５ａを挿入しつつ回転させることで、左側脚部支持フレーム部３０ａ及び右側脚部支持フレーム部３０ｂのナット４３に螺合させ、締め付けることでアーム部１２とアーム部３９を連結する。（図１（ａ）（ｂ）参照）。
【０１０３】
このように、左側連結部４ａ及び右側連結部４ｂによってアーム部１２とアーム部３９を連結する際は、被介護者等１０１に介護用吊り具１を装着してベッド１０３から吊り上げたときに、左側上体支持フレーム部６ａ及び右側上体支持フレーム部６ｂが連結レバー４５を中心軸として回転し、左側上体支持フレーム部６ａのアーム部１２と左側脚部支持フレーム部３０ａのアーム部３９、及び右側上体支持フレーム部６ｂのアーム部１２と右側脚部支持フレーム部３０ｂのアーム部３９が連結レバー４５の位置を境にしてくの字に折れ曲がるように、また、被介護者等１０１をベッド１０３の上に下したときに、左側上体支持フレーム部６ａ及び右側上体支持フレーム部６ｂが連結レバー４５を中心軸として回転し、左側上体支持フレーム部６ａのアーム部１２と左側脚部支持フレーム部３０ａのアーム部３９、及び右側上体支持フレーム部６ｂのアーム部１２と右側脚部支持フレーム部３０ｂのアーム部３９が一直線になるように、連結レバー４５の締め付けはやや緩くしておく。
【０１０４】
次に、左側上体支持フレーム部６ａ及び右側上体支持フレーム部６ｂのアーム部１２の水平面１２ｂにおいて、それぞれ適当な位置の固定孔１５を６つ選択し、左側上体支持フレーム部６ａの選択した固定孔１５に左側上体囲い部８ａの全ての係止部２５を、右側上体支持フレーム部６ｂの選択した固定孔１５に右側上体囲い部８ｂの全ての係止部２５をそれぞれ挿通する。
【０１０５】
そして、左側上体囲い部８ａ及び右側上体囲い部８ｂのリブ２６がアーム部１２の水平面１２ｂに当接するまで押し込むとともに、左側上体囲い部８ａ及び右側上体囲い部８ｂを上体固定部２の前方に向けてスライドさせ、係止部２５の先端部と垂直面２４の下端部との間の隙間にアーム部１２の水平面１２ｂを挿入させることで、左側上体囲い部８ａを左側上体支持フレーム部６ａに、右側上体囲い部８ｂを右側上体支持フレーム部６ｂにそれぞれ固定する。
【０１０６】
このとき、左側上体囲い部８ａや右側上体囲い部８ｂのスライド孔２０に挿通されているボルト２１の位置を調節したり、左側上体囲い部８ａや右側上体囲い部８ｂの係止部２５を挿通する左側上体支持フレーム部６ａや右側上体支持フレーム部６ｂの固定孔１５の位置を調節したりすることで、ストッパー部２２を被介護者等１０１の脇の下の位置にくるように固定し、ストッパー部２２で被介護者等１０１の脇の下を支えられる状態とする。
【０１０７】
このようにして被介護者等１０１に介護用吊り具１を装着することで、図８（ｂ）に示すように、被介護者等１０１は仰向けに寝ている状態で上半身は気を付けの姿勢、下半身は開脚しながら脚を伸ばした姿勢となる。
【０１０８】
そして、図８（ｂ）（ｃ）に示すように、左側上体支持フレーム部６ａ及び右側上体支持フレーム部６ｂの突起部１８と、左側脚部支持フレーム部３０ａ及び右側脚部支持フレーム部３０ｂの突起部３２にワイヤー１０２の一端を掛ける一方、ベッド１０３の周囲にあらかじめ設置してあるリフト１０４の吊り上げ装置１０４ａにワイヤー１０２の他端を掛けて、吊り上げ装置１０４ａを操作することにより被介護者等１０１を吊り上げて所望の場所まで移動させることができる。
【０１０９】
また、上記のように被介護者等１０１に介護用吊り具１を装着してベッド１０３から吊り上げた際は、被介護者等１０１の臀部周辺は介護用吊り具１によって支持されたり覆われたりされておらず、また被介護者等１０１は大腿部の付け根付近を脚部保持部３１内に収容されて開脚した状態となっている。
【０１１０】
そのため、下半身の衣服等を脱がせた状態で被介護者等１０１に介護用吊り具１を装着し、リフト１０４の吊り上げ装置１０４ａを操作して被介護者等１０１を吊り上げ、ベッド１０３の上やその周囲に設置した移動可能な簡易浴槽（図示せず）等の水を貯められる設備の真上まで移動させるとともに、携帯用のシャワー等を利用することにより、被介護者等１０１の陰部及びその周辺を容易に洗浄することが可能となる。
【０１１１】
被介護者等１０１を吊り上げて所望の場所まで移動させて目的を果たした後は、リフト１０４の吊り上げ装置１０４ａを操作して被介護者等１０１をベッド１０３の真上まで移動させ、ベッド１０３の上に下す。このとき、上体支持部５の底面及び脚部支持部２９の底面がベッド１０３の上に接するとともに、左側上体支持フレーム部６ａのアーム部１２と左側脚部支持フレーム部３０ａのアーム部３９、及び右側上体支持フレーム部６ｂのアーム部１２と右側脚部支持フレーム部３０ｂのアーム部３９が、図８（ｂ）に示すように、一直線になるまで吊り上げ装置１０４ａの高さを下げる。その後、左側上体フレーム部６ａ及び右側上体フレーム部６ｂの突起部１８と、左側脚部支持フレーム部３０ａ及び右側脚部支持フレーム部３０ｂの突起部３２からワイヤー１０２を外す。
【０１１２】
そして、左側上体囲い部８ａ及び右側上体囲い部８ｂを、上体固定部２の後方にスライドさせながら引き抜くことにより外す。また、左側連結部４ａ及び右側連結部４ｂの連結レバー４５を回転させ締め付けを緩めて左側脚部支持フレーム部３０ａ及び右側の脚部支持フレーム部３０ｂのナット４３から外すとともに、左側連結部４ａ及び右側連結部４ｂをアーム部１２の垂直面１２ａとアーム部３９の垂直面３９ａの重なり部分から外す。また、左側上体支持フレーム部６ａ及び右側上体支持フレーム部６ｂの挿入部１３，１３を上体支持部５の隙間９から引き抜くとともに、左側脚部支持フレーム部３０ａ及び右側脚部支持フレーム部３０ｂの挿入部４０，４０を脚部支持部２９の隙間３３から引き抜く。
【０１１３】
そして、起こして閉じた状態の脚部保持部３１の２つの補助部３６を倒して開いた状態とした後、被介護者等１０１の膝を立てるなどして大腿部を脚部保持部３１から浮かせ、脚部支持部２９をベッド１０３上から取り去った後、膝を伸ばした状態に戻す。最後に、被介護者等１０１を横向きとなるように転がしてその上半身を上体支持部５から下し、上体支持部５をベッド１０３上から取り去った後、仰向けの状態に戻すことで、被介護者等１０１をベッド１０３上に真っ直ぐな姿勢で仰向けに寝ている状態に戻す。
【０１１４】
尚、介護用吊り具１を装着した被介護者等１０１をベッド１０３上に下した際は、介護用吊り具１がベッド１０３の上に安定した状態で設置されるため、被介護者等１０１からの介護用吊り具１の取り外しも容易となっている。
【符号の説明】
【０１１５】
１      介護用吊り具          ３１    脚部保持部
２      上体固定部            ３２    突起部
３      脚部固定部            ３３    隙間
４      連結部                ３５    ヒンジ 
５      上体支持部            ３６    補助部
６      上体支持フレーム部    ３７    クッション材
８      上体囲い部            ３８    クッション材
９      隙間                  ３９    アーム部
１１    クッション材          ４０    挿入部
１２    アーム部              ４１    起立部
１３    挿入部                ４２    連結孔
１４    起立部                ４３    ナット
１５    固定孔                ４４    回転制限部
１６    連結孔                ４５    連結レバー
１７    クッション材          ４６    ナット
１８    突起部                ４７    垂直面
１９    水平面                ４８    連結孔
２０    スライド孔            ４９    折り曲げ部
２１    ボルト                ５０    連結孔
２２    ストッパー部          １０１  被介護者等
２３    クッション材          １０２  ワイヤー
２４    垂直面                １０３  ベッド
２５    係止部                １０４  リフト
２６    リブ
２８    補強リブ
２９    脚部支持部
３０    脚部支持フレーム部
【図１】
2019115390.tif 000003
【図２】
2019115390.tif 000004
【図３】
2019115390.tif 000005
【図４】
2019115390.tif 000006
【図５】
2019115390.tif 000007
【図６】
2019115390.tif 000008
【図７】
2019115390.tif 000009
【図８（ａ）】
2019115390.tif 000010
【図８（ｂ）】
2019115390.tif 000011
【図８（ｃ）】
2019115390.tif 000012